(57)【特許請求の範囲】
【請求項１】
前部に鉢部を有し、後部にはロータンク設置用のスペース及びロータンク放出水の導入口が設けられている洋風便器本体と、
該洋風便器後部上面に設置された昇降可能なプレートと、
該プレートに支持されたロータンクと、
該ロータンクを覆っており、該プレートに支持され該プレートと共に昇降するロータンクカバーと、
該プレートを上昇させる駆動装置と、
該ロータンクの底部の流出口と前記洋風便器本体の導入口とを接続している蛇腹管と
を備えてなる洋風便器装置。
【発明の詳細な説明】
【０００１】
【発明の属する技術分野】
本発明は、洋風便器本体と、該洋風便器本体の後部上面のロータンクと、該ロータンクを覆うロータンクカバーとを備えた洋風便器装置に係り、特に該ロータンクカバーを全体として上下動させるようにした洋風便器装置に関する。
【０００２】
【従来の技術】
ロータンクカバーを有した洋風便器にあっては、ロータンクカバーと洋風便器上面との間に尿などの汚れが入り込んで臭気発生の原因となりがちである。そこで、特開平９−２８６１９号公報及び特開２０００−３３０５１号公報において、このロータンクカバーの前半体を上昇可能とし、前半体を上昇させて洋風便器上面を十分に清掃できるようにした便座支持昇降装置が提案された。このロータンクカバーの後半体にロータンクが設置されている。
【０００３】
【発明が解決しようとする課題】
上記の特開平９−２８６１９号や特開２０００−３３０５１号のように、ロータンクカバーを前半体と後半体とに分け、水が入ることにより重量が数ｋｇ以上となるロータンクを固定式のロータンクカバー後半体内に設置し、前半体のみを上下動させる場合、上下動する部分の質量が小さく、上下動させ易い。
【０００４】
しかしながら、この場合、ロータンクの底部の便器洗浄水流出口と洋風便器後部上面の便器洗浄水導入口とを配管で水漏れしないように接続する作業が難しくなる。
【０００５】
また、ロータンクの上面に手洗鉢が設置されている場合、ボールタップからの給水管と手洗吐水管との接続がロータンクカバーの上下動により外れてしまうおそれもある。
【０００６】
さらに、ロータンクカバーの前半体と後半体との合わせ面からロータンクカバー内に水や異物が侵入するおそれもある。
【０００７】
本発明は、ロータンクの流出口と洋風便器本体の便器洗浄水導入口との接続を容易に行うことができ、また手洗吐水管への接続が外れることもない、ロータンクカバーが一体の洋風便器装置を提供することを目的とする。
【０００８】
【課題を解決するための手段】
本発明の洋風便器装置は、前部に鉢部を有し、後部にはロータンク設置用のスペース及びロータンク放出水の導入口が設けられている洋風便器本体と、該洋風便器後部上面に設置された昇降可能なプレートと、該プレートに支持されたロータンクと、該ロータンクを覆っており、該プレートに支持され該プレートと共に昇降するロータンクカバーと、該プレートを上昇させる駆動装置と、該ロータンクの底部の流出口と前記洋風便器本体の導入口とを接続している蛇腹管とを備えてなることを特徴とするものである。
【０００９】
かかる洋風便器装置にあっては、プレートを上昇させることにより、洋風便器本体の後部上面（特に鉢部近傍の上面）を念入りに清掃することができる。また、この洋風便器装置を組み立てるに際しては、プレートを上昇させた状態でロータンクの底部の流出口と洋風便器後部上面の便器洗浄水導入口とを蛇腹管で簡単に接続することができる。なお、プレートを下降させた際には、蛇腹管は押し縮められ、ロータンクの流出口と便器洗浄水導入口との間に介在する。
【００１０】
本発明では、ロータンクカバーの全体を昇降させるため、ロータンクカバー上面に手洗鉢が設置されている場合でも、手洗鉢とロータンクとが同時に昇降するようになり、ボールタップと手洗吐水管とをつなぐホース等の給水部材は常にボールタップと手洗吐水管とに接続されたままとなる。従って、ロータンクカバーが上下動しても手洗吐水管とボールタップとは常に給水可能に接続されたままとなる。
【００１１】
本発明では、ロータンクカバーは前後が一体であり、合わせ部が無いので、水や異物の侵入が防止される。
【００１２】
【発明の実施の形態】
以下、図面を参照して本発明の実施の形態について説明する。第１図は本発明の実施の形態に係る洋風便器装置の分解斜視図、第２図はこの洋風便器装置の側面図、第３図はこの洋風便器装置のロータンクカバーを上昇させた状態の側面図である。
【００１３】
この洋風便器装置は、洋風便器本体１０と、この洋風便器本体１０の後部上面に上下動可能に設置されたロータンク３０及びロータンクカバー３４を備えている。
【００１４】
洋風便器本体１０は、前部に鉢部１２を有し、後部上面には、便器洗浄水が貯水されるロータンクを設置するためのスペース１４が設けられている。ロータンク３０は、このスペース１４上において昇降支台装置５０を介して上下動可能に設置されている。また、スペース１４には、該ロータンク３０の下部の便器洗浄水放出口３２から放出される放出水を該鉢部１２に導入するための便器洗浄水導入口１６（この実施の形態ではディストリビュータの水導入口）が設けられている。
【００１５】
ロータンク３０は、該昇降支台装置５０の昇降プレート５４によって支持されている。後述の通り、昇降支台装置５０は、この昇降プレート５４を昇降させる昇降機構を備えており、この昇降機構の駆動力により、昇降プレート５４がロータンク３０を支持したまま垂直に昇降するものとなっている。
【００１６】
なお、図示はしないが、ロータンク３０内の下部にはフロート弁機構が設けられており、ロータンクカバー３４に取り付けられたフラッシュレバー３６（第２，３図）を操作することにより該フロート弁機構が開弁され、ロータンク３０内の水が前記放出口３２から放出される。また、ロータンク３０の上部にはボールタップ（図示略）が設けられており、ロータンク３０内の水位が低下すると該ボールタップが開栓してロータンク３０内に水が供給される。
【００１７】
ロータンクカバー３４はロータンク３０と同じく昇降支台装置５０の該昇降プレート５４に支持されている。また、ロータンクカバー３４は、その上部に手洗吐水部４０を有した手洗鉢３８を備えている（第２，３図）。この手洗吐水部４０は、図示しない給水管を介して前記ボールタップに接続されており、該ボールタップが開栓することにより水が供給され、手洗鉢３８に吐水する。このロータンクカバー３４の前面側の下部には、便座４２及び便蓋４４が上下方向に回動可能に取り付けられている。
【００１８】
後述する昇降機構によって該昇降プレート５４が昇降したときには、該昇降プレート５４の上下動に伴ってロータンクカバー３４の全体が上下動する。この際、ロータンク３０や手洗い鉢３８等もロータンクカバー３４と一体に上下動するため、手洗吐水部４０とボールタップとに連なった前記給水管がロータンクカバー３４の上下動によって外れたり折れたりすることはなく、該手洗吐水部４０とロータンク３０との接続が常時保証される。
【００１９】
昇降支台装置５０は、該スペース１４上に設置された枠形状のベースプレート５２と、ロータンク３０の下部に取り付けられた昇降プレート５４と、これらの昇降プレート５４とベースプレート５２とを連結し、該昇降プレート５４を該ベースプレート５２に対し昇降駆動させる昇降装置５６とを備えている。このベースプレート５２は、その前縁が鉢部１２の後縁よりも十分に離隔するように洋風便器本体１０に固定される。
【００２０】
ベースプレート５２は、下方に延出した複数のボルト５２ａを有している。ベースプレート５２を前記スペース１４に設置するにあたって、各ボルト５２ａは該スペース１４のそれぞれ対応する挿通孔１４ａに挿通されている。挿通孔１４ａは、スペース１４の上面から洋風便器本体１０の後部を垂直に貫く貫通孔である。挿通孔１４ａに挿通されたボルト５２ａは、その先端側が洋風便器本体１０後部の下面側に突出しており、該先端側から図示しないナットが締め込まれる。これにより、ベースプレート５２は該スペース１４に固定設置される。
【００２１】
ベースプレート５２は前記の通り枠状であり、その中央部には、該スペース１４に設けられた便器洗浄水導入口１６が露出する開口５８が設けられている。この開口５８には、後述する蛇腹管７０の下端側が挿通されている。
【００２２】
昇降プレート５４には、ロータンクカバー３４の下部から下方に延出した複数のボルト３４ａを受け入れる挿通孔５４ａが設けられている。昇降プレート５４の各挿通孔５４ａに挿通された該ボルト３４ａにナット（図示略）が締め込まれることにより、該昇降プレート５４とロータンクカバー３４とが結合している。
【００２３】
また、昇降プレート５４には、ロータンク３０の便器洗浄水放出口３２が露出する開口６０が設けられている。この開口６０には、後述する蛇腹管７０の上端側が挿通されている。
【００２４】
この昇降プレート５４は、ベースプレート５２の上方に略水平に配置されており、昇降装置５６によって水平姿勢を保ったまま昇降可能に支持されている。
【００２５】
昇降装置５６は、図示しないエアポンプにより筒体内部が加減圧されるエアシリンダ６２と、エアシリンダ６２の下端側からその筒体の軸心方向に延出し、鉛直方向に進退可能な脚状ロッド６４とを有している。脚状ロッド６４は、図示しない操作スイッチの操作によって該エアポンプが加圧作動し、エアシリンダ６２内が加圧されることによって該エアシリンダ６２から進出する。そして、エアシリンダ６２から進出した脚状ロッド６４は、エア圧開放スイッチが操作されてエアシリンダ６２内からエアが放出されることによって該エアシリンダ６２内に退動する。
【００２６】
エアシリンダ６２は、下端が昇降プレート５４に固着され、その筒体が昇降プレート５４の鉛直上方に延在するように設置されている。脚状ロッド６４は、図示しない挿通孔を通して該昇降プレート５４の鉛直下方に延出している。この脚状ロッド６４の下端はベースプレート５２の上面側に固定されている。これにより、昇降プレート５４がベースプレート５２の上方に支持されると共に、脚状ロッド６４がエアシリンダ６２から進退することによって該昇降プレート５４が垂直に昇降する。
【００２７】
なお、シリンダ６２内には圧縮コイルスプリングが内蔵されており、ロータンク３０、ロータンクカバー３４、昇降プレート５４、便座４２、便蓋４４等の荷重に対抗する上方付勢力を生じさせている。従って、比較的低圧のエアをエアシリンダ６２内に供給することによりバネ圧とエア圧とを重畳させて昇降プレート５４を上昇させることができる。もちろん、この昇降プレート５４の昇降に伴い、昇降プレート５４によって支持されたロータンク３０やロータンクカバー３４が全体として上下動する。
【００２８】
なお、本実施の形態では、ベースプレート５２及び昇降プレート５４の各開口５８，６０を囲むように４機の昇降装置５６が昇降支台装置５０に設けられている。
【００２９】
この昇降支台装置５０によって上下動可能に支持されたロータンク３０の便器洗浄水放出口３２と洋風便器本体１０の便器洗浄水導入口１６とは、筒軸方向に伸縮可能な蛇腹管７０によって接続されている。
【００３０】
この蛇腹管７０は、昇降支台装置５０のベースプレート５２及び昇降プレート５４にそれぞれ設けられた開口５８，６０を通して導入口１６と放出口３２とを接続している。
【００３１】
第３図の通り、昇降プレート５４を下降させたときには、この蛇腹管７０は、ロータンク３０の下降に伴って放出口３２と導入口１６とを連通したまま筒軸方向に押し縮められ、該放出口３２と導入口１６との間に介在する。
【００３２】
第２図の通り、昇降プレート５４を上昇させたときには、この蛇腹管７０は、ロータンク３０の上方への移動に伴って放出口３２と連結された該上端側が上方へ引張られ、放出口３２と導入口１６とを連通したまま筒軸方向に伸長する。これにより、ロータンク３０が上下動しても常に放出口３２と導入口１６とが水密に接続されたままとなっている。
【００３３】
なお、この蛇腹管７０を設置するにあたっては、昇降プレート５４を上昇させた状態で、該昇降プレート５４の開口６０に蛇腹管７０の上端側を挿通して該開口６０から露出した放出口３２に連結し、下端側をベースプレート５２の開口５８に挿通して該開口５８から露出した導入口１６に連結する。
【００３４】
このように構成された洋風便器装置にあっては、通常時は昇降プレート５４が下降限まで下降しており、ロータンクカバー３４が洋風便器本体１０の後部上面に載置されている。このとき、蛇腹管７０は放出口３２と導入口１６とを連通したまま押し縮められた状態で該放出口３２と連通部１６との間に介在している。
【００３５】
ロータンクカバー３４の下側の洋風便器本体１０の後部上面を清掃するときには、図示しない操作スイッチを操作して前記エアポンプ（図示略）を加圧作動させ、昇降プレート５４を上昇させる。これにより、ロータンク３０やロータンクカバー３４全体が一体的に持ち上げられ、洋風便器１０の後部上面が露出すると共にロータンクカバー３４の下部との間に十分な空間が生じ、洋風便器本体１０の該後部上面が清掃可能となる。
【００３６】
昇降プレート５４は、エア圧開放スイッチが操作されてエアシリンダ６２内からエアが放出されるまで該エアシリンダ６２から進出した脚状ロッド６４によって下降不能に支持されている。
【００３７】
エアシリンダ６２内からエアが放出されると、昇降プレート５４が下降し、ロータンク３０及びロータンクカバー３４が一体に元の位置まで降りてくる。
【００３８】
このように、この洋風便器装置によると、昇降プレート５４を上昇させることにより、ロータンク３０やロータンクカバー３４全体が上方へ持ち上げられ、洋風便器本体１０の後部上面が露出するようになるため、この洋風便器本体１０の上面、特に鉢部１２の周辺部分を念入りに清掃することができる。このようにロータンク３０が上下動しても、便器洗浄水放出口３２と便器洗浄水導入口１６とは蛇腹管７０を介して常時接続されたままとなっている。しかも、洋風便器装置を組み立てるにあたって、この蛇腹管７０は、ロータンク３０及びロータンクカバー３４を上方へ移動させた状態で容易に該放出口３２及び導入口１６に連結することができる。
【００３９】
また、この洋風便器装置では、昇降プレート５４の昇降に伴ってロータンク３０とロータンクカバー３４とが一体に上下動するため、このロータンクカバー３４に取り付けられた手洗鉢３８の手洗吐水部４０とロータンク３０内のボールタップ（図示略）とが常時給水可能に接続されたままとなり、水漏れ等を引き起こすおそれがない。
【００４０】
なお、図示はしないが、この洋風便器装置においては、便座４２に着座した便器使用者の臀部を洗浄するためのシャワー装置がロータンクカバー３４の前面側の下部に設けられ、このシャワー装置に温水を供給するための温水タンクがロータンクカバー３４内に設置されている。このシャワー装置及び温水タンクも、ロータンクカバー３４を昇降させたときにはロータンクカバー３４と一体に上下動し、該シャワー装置と該温水タンクとを接続する配管がロータンクカバー３４の上下動によって外れたり折れ曲がったりすることがないため、該シャワー装置と該温水タンクとの接続が常時保証される。
【００４１】
ロータンク３０及びロータンクカバー３４を昇降可能に支持する昇降支台装置５０の構成は上記実施の形態の構成以外のものであってもよい。例えば駆動動力源として水圧や電動モータの回転駆動力或いはその他の駆動力を用いてもよく、この駆動力を伝達して該昇降プレート５４を昇降させる機構に関してもパンタグラフ機構など他の機構も採用可能である。
【００４２】
【発明の効果】
以上詳述した通り、本発明の洋風便器装置によると、昇降プレートを上昇させることにより、ロータンクやロータンクカバー全体が一体的に上方へ持ち上げられ、洋風便器本体の後部上面が露出するようになるため、この洋風便器本体の上面、特に鉢部の周辺部分を念入りに清掃することができると共に、このようにロータンクが上下動しても、ロータンクの便器洗浄水放出口と洋風便器本体の便器洗浄水導入口とは常時通水可能に接続されたままとなっている。
【００４３】
しかも、この洋風便器装置を組み立てるにあたって、該放出口と該導入口とはロータンク及びロータンクカバーを上方へ移動させた状態で容易に連結することができる。
【００４４】
また、この洋風便器装置では、昇降プレートの昇降に伴ってロータンクとロータンクカバーとが一体に上下動するため、ロータンクカバーに吐水部を有した手洗鉢等を取り付けた場合であっても、ロータンク内のボールタップと該吐水部の給水管とが常時給水可能に接続されたままとなり、水漏れ等を引き起こすおそれがない。
【００４５】
なお、ロータンクカバーを前半体と後半体とに分割することが無いため、ロータンクカバーにデザイン上の制約が加えられることがない。また、前半体と後半体との合わせ部からロータンクカバー内に水や異物が入り込むことも防止される。
【図面の簡単な説明】
【図１】本発明の実施の形態に係る洋風便器装置の分解斜視図である。
【図２】第１図の洋風便器装置の側面図である。
【図３】第１図の洋風便器装置のロータンクカバーを上昇させた状態の側面図である。
【符号の説明】
１０  洋風便器本体
１２  鉢部
１４  ロータンク設置用スペース
１６  便器洗浄水導入口
３０  ロータンク
３２  便器洗浄水放出口
３４  ロータンクカバー
３８  手洗鉢
４０  手洗吐水部
５０  昇降支台装置
５２  ベースプレート
５４  昇降プレート
５６  昇降装置
６２  エアシリンダ
６４  脚状ロッド
【図１】
0003959944.tif 000002
【図２】
0003959944.tif 000003
【図３】
0003959944.tif 000004